(57)【要約】【課題】弾性ロープの張力を調整することが可能なトレーニングマシーン構造を提供する。【解決手段】  張力を調整することが可能なトレーニングマシーン構造は、トレーニングマシーン本体を備える。トレーニングマシーン本体は、台座２０、上部カバー３０、弾性ロープ４０、スライドアセンブリ５０、調整ベース６０及び調整ボルト７０を有する。台座２０は、テーブル２１を有し、テーブル２１の頂面の両側は、上方に延伸した２つのストッパ壁２２により隔てられて２つのスライド溝２３が設けられ、２つのスライド溝２３間には、逃げ空間２４が設けられ、逃げ空間２４の後方内側には、第１の巻回ロッド２５が枢着されている。【選択図】図２
0003165561.tif 000002
【実用新案登録請求の範囲】
【請求項１】
トレーニングマシーン本体を備える張力を調整することが可能なトレーニングマシーン構造であって、
前記トレーニングマシーン本体は、台座、上部カバー、弾性ロープ、スライドアセンブリ、調整ベース及び調整ボルトを有し、
前記台座は、テーブルを有し、前記テーブルの頂面の両側は、上方に延伸した２つのストッパ壁により隔てられて２つのスライド溝が設けられ、前記２つのスライド溝間には、逃げ空間が設けられ、前記逃げ空間の後方内側には、第１の巻回ロッドが枢着され、
前記上部カバーは、対応するように前記台座上を覆い、内部部材を封止し、前記上部カバーの底面には、前記台座の前記ストッパ壁及び前記スライド溝に対応した位置に設けられたストッパ壁及びスライド溝を有し、繰り出し口が両側に切設され、
前記スライドアセンブリは、第２の巻回ロッドを有し、前記第２の巻回ロッドの両側には、ローラが枢着され、その外側に把持部が外嵌され、前記第２の巻回ロッド、前記ローラ及び前記把持部は、前記ストッパ壁と接触しないように離間され、
前記台座の前記逃げ空間の前方両側には、高く形成された前記ストッパ壁上に突設された位置規制ストップ縁が設けられ、前記位置規制ストップ縁は、前記テーブルの頂面と略等間隔に離間され、その間に収納チャネルが設けられ、前記台座及び前記上部カバーの前方に設けられた封止面の中央部には、弧状をなす当接縁が切設され、前記弾性ロープは、２つの端部に拡大部を有し、前記調整ベースは、ベースシェルとカバーとが接続されて構成され、前記ベースシェルの中央部には、透過部が後方に延設され、前記透過部は、前記調整ボルトを螺着させる螺着孔が前記ベースシェルの前端位置に設けられ、前記ベースシェルの後方に設けられた前記透過部の２つの外部側面には、開口が小さい段差状の係合溝が上向きに開設され、底部両側には、延伸翼がそれぞれ設けられ、前記調整ボルトは、外周に設けられたネジ部を有し、一方の端部につまみが設けられ、他方の端部にストッパ片が設けられ、
前記ベースシェルは、前記延伸翼により、前記台座の前記位置規制ストッパ縁及び前記テーブルの頂面から構成される前記収納チャネルの中にスライド可能に収納され、前記位置規制ストッパ縁と前記延伸翼とが当接されるため上方に外れずに、前記ベースシェルが前記台座の前記逃げ空間の中で前後に水平移動しかできないようにし、前記スライドアセンブリの前記ローラは、前記スライド溝と噛み合わされ、前記第２の巻回ロッドは、前記逃げ空間に収納され、前記把持部が前記台座の両側外部に延伸され、前記スライドアセンブリが初期位置決めされ、前記弾性ロープは、一方の端部に設けられた拡大部が前記ベースシェルの一方の側部の前記係合溝内に固定され、他方の端部が前記第１の巻回ロッド及び前記第２の巻回ロッドに巻掛けられ、前記ベースシェルの他方の側部の前記係合溝中に固定した後、前記調整ボルトを前記台座の前記当接縁の位置に貫設させ、前記ベースシェルの前記螺着孔に前記ネジ部を螺着させてから前記ストッパ片を取り付け、最大のストローク位置に前記ストッパ片を設けることにより、前記調整ボルトが過度に回転して飛び出ることを防ぐとともに、前記調整ボルトの前記つまみは、前記台座の前方外側に露出され、前記ベースシェルに前記カバーが取り付けられ、前記台座に前記上部カバーが取り付けられて封止されているため、前記弾性ロープが上向きに外れるのを防ぐことを特徴とする張力を調整することが可能なトレーニングマシーン構造。
【請求項２】
前記トレーニングマシーン本体は、柔軟マットと接続されてなることを特徴とする請求項１に記載の張力を調整することが可能なトレーニングマシーン構造。
【請求項３】
前記台座前方の前記当接縁は、上方に延伸するように穿設されてなることを特徴とする請求項１に記載の張力を調整することが可能なトレーニングマシーン構造。
【請求項４】
前記台座の底面の前部及び後部は、両側に延伸された支持パッドにより高くなっていることを特徴とする請求項１に記載の張力を調整することが可能なトレーニングマシーン構造。
【請求項５】
前記弾性ロープは、弾性織り紐又は弾性ゴムロープであることを特徴とする請求項１に記載の張力を調整することが可能なトレーニングマシーン構造。
【請求項６】
前記ベースシェルの前記螺着孔は、一体成形されたナットからなることを特徴とする請求項１に記載の張力を調整することが可能なトレーニングマシーン構造。
【請求項７】
前記調整ボルトは、互いに接続された延伸部及び前記ネジ部を有し、前記延伸部の側端に前記つまみが設けられていることを特徴とする請求項１に記載の張力を調整することが可能なトレーニングマシーン構造。
【請求項８】
前記調整ボルトの前記ストッパ片は、取り付け後に突出するＣ字状リングであることを特徴とする請求項１に記載の張力を調整することが可能なトレーニングマシーン構造。
【考案の詳細な説明】
【技術分野】
【０００１】
本考案は、身体を鍛えるために用いるトレーニングマシーンであって、弾性ロールの張力を調整することが可能なトレーニングマシーンの構造に関するものであり、さらに詳しくは、押したり引いたりする弾性ロープの張力を調整することが可能なトレーニングマシーンの構造に関するものである。
【背景技術】
【０００２】
図８を参照する。図８に示すように、従来のトレーニングマシーンは、主に、上下に並列して配置された断面が円形状の２つのロッド８１により、ガイドフレーム８０の主体が構成されている。２つのロッド８１は、両端がパッド８２及びワンピース式のプラグ８３によりそれぞれ支持され、適宜離間されて隙間が設けられ、この隙間内には、スライダ９０が配置されている。スライダ９０には、２つのローラ９１が配置されている。２つのローラ９１の円弧凹部が２つのロッド８１に噛み合わされることにより、２つのロッド８１は、スライダ９０を安定的に位置規制することができる。スライダ９０には、軸ロッド９２が貫設され、把持部９３が装着されている。また、下側のロッド８１の両端には、柔軟パッド８４及び支持ロッド８５がそれぞれ配置されている。パッド８２とスライダ９０との間には、弾性牽引ロープ８６が係合されている。ユーザは、運動を行う際、柔軟パッド８４上に跪き、スライダ９０の両側に設けられた把持部９３を両手で握り、押したり引いたりする際、スライダ９０の位置が２つのロッド８１間に保持されながら、安定的に前後にスライドさせることができる。ユーザは、弾性牽引ロープ８６の弾性力を利用して臀部又は腹部のストレッチトレーニングを行う。
【０００３】
しかし、弾性牽引ロープ８６の張力は、調整することができないため、トレーニングの強さを変えたい場合、弾性牽引ロープ８６全体を交換したり、別のトレーニングマシーンを購入したりしなければならないため、コストが高い上、多くの収納空間を必要とするという問題がある。
【考案の開示】
【考案が解決しようとする課題】
【０００４】
本考案の主な目的は、調整ボルトを回転させ、調整ベースを水平移動させることにより、弾性ロープの張力の大きさを自由に変え、異なるユーザがトレーニングを行ったり、同一ユーザが異なるレベルのトレーニングを行う場合、それぞれ異なる張力を用いて操作を行うことができるように弾性ロープの張力を調整する機能および該機能以外に、構造が簡素で、組立が容易である、張力を調整することが可能なトレーニングマシーン構造を提供することにある。
【０００５】
本考案のもう一つの目的は、１つのトレーニングマシーンの弾性ロープの張力を変えることができるようにし、別のトレーニングマシーンを購入し、又は弾性ロープを交換する必要がなく、異なるレベルのトレーニングを行うことができ、低コストな利便性の高い、弾性ロープの張力を調整することが可能なトレーニングマシーン構造を提供することにある。
【課題を解決するための手段】
【０００６】
前記課題を解決するために、本考案によれば、トレーニングマシーン本体を備える張力を調整することが可能なトレーニングマシーン構造であって、
前記トレーニングマシーン本体は、台座、上部カバー、弾性ロープ、スライドアセンブリ、調整ベース及び調整ボルトを有し、
前記台座は、テーブルを有し、前記テーブルの頂面の両側は、上方に延伸した２つのストッパ壁により隔てられて２つのスライド溝が設けられ、前記２つのスライド溝間には、逃げ空間が設けられ、前記逃げ空間の後方内側には、第１の巻回ロッドが枢着され、
前記上部カバーは、対応するように前記台座上を覆い、内部部材を封止し、前記上部カバーの底面には、前記台座の前記ストッパ壁及び前記スライド溝に対応した位置に設けられたストッパ壁及びスライド溝を有し、繰り出し口が両側に切設され、
前記スライドアセンブリは、第２の巻回ロッドを有し、前記第２の巻回ロッドの両側には、ローラが枢着され、その外側に把持部が外嵌され、前記第２の巻回ロッド、前記ローラ及び前記把持部は、前記ストッパ壁と接触しないように離間され、
前記台座の前記逃げ空間の前方両側には、高く形成された前記ストッパ壁上に突設された位置規制ストップ縁が設けられ、前記位置規制ストップ縁は、前記テーブルの頂面と略等間隔に離間され、その間に収納チャネルが設けられ、前記台座及び前記上部カバーの前方に設けられた封止面の中央部には、弧状をなす当接縁が切設され、前記弾性ロープは、２つの端部に拡大部を有し、前記調整ベースは、ベースシェルとカバーとが接続されて構成され、前記ベースシェルの中央部には、透過部が後方に延設され、前記透過部は、前記調整ボルトを螺着させる螺着孔が前記ベースシェルの前端位置に設けられ、
前記ベースシェルの後方に設けられた前記透過部の２つの外部側面には、開口が小さい段差状の係合溝が上向きに開設され、底部両側には、延伸翼がそれぞれ設けられ、前記調整ボルトは、外周に設けられたネジ部を有し、一方の端部につまみが設けられ、他方の端部にストッパ片が設けられ、
前記ベースシェルは、前記延伸翼により、前記台座の前記位置規制ストッパ縁及び前記テーブルの頂面から構成される前記収納チャネルの中にスライド可能に収納され、前記位置規制ストッパ縁と前記延伸翼とが当接されるため上方に外れずに、前記ベースシェルが前記台座の前記逃げ空間の中で前後に水平移動しかできないようにし、前記スライドアセンブリの前記ローラは、前記スライド溝と噛み合わされ、前記第２の巻回ロッドは、前記逃げ空間に収納され、前記把持部が前記台座の両側外部に延伸され、前記スライドアセンブリが初期位置決めされ、前記弾性ロープは、一方の端部に設けられた拡大部が前記ベースシェルの一方の側部の前記係合溝内に固定され、他方の端部が前記第１の巻回ロッド及び前記第２の巻回ロッドに巻掛けられ、前記ベースシェルの他方の側部の前記係合溝中に固定した後、前記調整ボルトを前記台座の前記当接縁の位置に貫設させ、前記ベースシェルの前記螺着孔に前記ネジ部を螺着させてから前記ストッパ片を取り付け、最大のストローク位置に前記ストッパ片を設けることにより、前記調整ボルトが過度に回転して飛び出ることを防ぐとともに、前記調整ボルトの前記つまみは、前記台座の前方外側に露出され、前記ベースシェルに前記カバーが取り付けられ、前記台座に前記上部カバーが取り付けられて封止されているため、前記弾性ロープが上向きに外れるのを防ぐことを特徴とする張力を調整することが可能なトレーニングマシーン構造が提供される。
【０００７】
前記トレーニングマシーン本体は、柔軟マットと接続されてなることが好ましい。
【０００８】
前記台座前方の前記当接縁は、上方に延伸するように穿設されてなることが好ましい。
【０００９】
前記台座の底面の前部及び後部は、両側に延伸された支持パッドにより高くなっていることが好ましい。
【００１０】
前記弾性ロープは、弾性織り紐又は弾性ゴムロープであることが好ましい。
【００１１】
前記ベースシェルの前記螺着孔は、一体成形されたナットからなることが好ましい。
【００１２】
前記調整ボルトは、互いに接続された延伸部及び前記ネジ部を有し、前記延伸部の側端に前記つまみが設けられていることが好ましい。
【００１３】
前記調整ボルトの前記ストッパ片は、取り付け後に突出するＣ字状リングであることが好ましい。
【考案の効果】
【００１４】
本考案の弾性ロープの張力を調整することが可能なトレーニングマシーン構造は、以下（１）及び（２）の効果を有する。
（１）調整ボルトを回転させ、調整ベースを水平移動させることにより、トレーニングマシーンの張力の大きさを自由に変え、異なるユーザがトレーニングを行ったり同一ユーザが異なるレベルのトレーニングを行ったりするとき、それぞれ異なる張力を用いて操作を行い、弾性ロープの張力を調整することができる上、構造が簡素で、組立が容易である。
（２）１つのトレーニングマシーンで張力の大きさを変えることができるため、別のトレーニングマシーンを購入したり弾性ロープを交換したりしなくても、異なるレベルのトレーニングを行うことができ、コストがかからず、便利である。
【図面の簡単な説明】
【００１５】
【図１】本考案の一実施形態による張力を調整することが可能なトレーニングマシーン構造を示す斜視図である。
【図２】本考案の一実施形態による張力を調整することが可能なトレーニングマシーン構造を示す分解斜視図である。
【図３】本考案の一実施形態による張力を調整することが可能なトレーニングマシーン構造を示す一部拡大分解斜視図である。
【図４】本考案の一実施形態による張力を調整することが可能なトレーニングマシーン構造を示す断面図である。
【図５】本考案の一実施形態による張力を調整することが可能なトレーニングマシーン構造を示す断面図である。
【図６】本考案の一実施形態による張力を調整することが可能なトレーニングマシーン構造を示す平面図である。
【図７】本考案の一実施形態による張力を調整することが可能なトレーニングマシーン構造の張力を調整する状態を示す平面図である。
【図８】従来のトレーニングマシーン構造を示す斜視図である。
【考案を実施するための最良の形態】
【００１６】
以下、本考案の実施形態について図面に基づいて説明する。なお、これによって本考案が限定されるものではない。
【００１７】
図１〜図３を参照する。図１〜図３に示すように、本考案の一実施形態による張力を調整することが可能なトレーニングマシーン構造は、柔軟マット１０に接続したトレーニングマシーン本体を含む。ユーザは、柔軟マット１０上に跪き、トレーニングマシーン全体を固定し、上半身を前方に伸ばし、腹部又は臀部のトレーニングを行うことができる。トレーニングマシーン本体は、台座２０、上部カバー３０、弾性ロープ４０、スライドアセンブリ５０、調整ベース６０及び調整ボルト７０を含む。柔軟マット１０は、緩衝・防振作用を有し、折り畳んで全体の体積を小さくすることができる。台座２０は、テーブル２１を有する。テーブル２１の頂面の両側は、上方に延伸した２つのストッパ壁２２により隔てられ、スライド溝２３が設けられている。２つのスライド溝２３の間には、逃げ空間２４が設けられている。逃げ空間２４の後方内側には、第１の巻回ロッド２５が枢着され、前方両側に設けられたストッパ壁２２上には、位置規制ストップ縁２６が突設されている。位置規制ストップ縁２６は、テーブル２１の頂面との間に距離を保ち、その間に収納チャネルが設けられている。台座２０前方に設けられた封止面の中央部には、弧状をなす当接縁２７が切設されている。当接縁２７は、上方に延伸するように穿設されている。台座２０は、底面の前部及び後部が両側に延伸された支持パッド２８により支持されて高くなっている。上部カバー３０は、対応するように台座２０上を覆って内部部材を封止する。上部カバー３０の底面には、台座２０のストッパ壁２２及びスライド溝２３に対応した位置に設けられたストッパ壁３１及びスライド溝３２を有し、繰り出し口３３が両側に切設され、前方の封止面の中央部には、弧状をなす当接縁３４が同様に切設されている。弾性ロープ４０は、弾性織り紐又は弾性ゴムロープであり、２つの自由端に拡大部４１を有する。スライドアセンブリ５０は、第２の巻回ロッド５１を有する。第２の巻回ロッド５１の両側には、ローラ５２が枢着され、その外側に把持部５３が外嵌されている。第２の巻回ロッド５１、ローラ５２及び把持部５３は、ストッパ壁２２，３１と接触しないように離間されている。調整ベース６０は、ベースシェル６１とカバー６２とが接続されて構成される。ベースシェル６１の中央部には、透過部６１１が後方に延設されている。透過部６１１は、調整ボルト７０を螺着させることができる螺着孔６１２がベースシェル６１の前端位置に設けられている。螺着孔６１２は、一体成形されたナットからなる。ベースシェル６１の後方に設けられた透過部６１１の２つの外部側面には、開口部が小さく、段差状の係合溝６１３が上向きに設けられ、底部両側には、延伸翼６１４がそれぞれ設けられている。調整ボルト７０は、互いに接続された延伸部７１及びネジ部７２を有する。延伸部７１の側端には、つまみ７３が設けられている。ネジ部７２の側端上には、ストッパ片７４が設けられている。ストッパ片７４は、突出するように取り付けられるＣ字状リングである。
【００１８】
図１、図４、図５及び図６を参照する。図１、図４、図５及び図６に示すように、本考案の一実施形態による張力を調整することが可能なトレーニングマシーン構造を組み立てる際、ベースシェル６１は、延伸翼６１４により、台座２０の位置規制ストッパ縁２６及びテーブル２１の頂面から構成される収納チャネルの中に、スライド可能に収納されている。ベースシェル６１は、位置規制ストッパ縁２６と延伸翼６１４とが当接されるため、上方に外れることがなく、台座２０の逃げ空間２４の中で前後に水平移動しかできないようにする。スライドアセンブリ５０のローラ５２は、スライド溝２３と噛み合わされている。第２の巻回ロッド５１は、逃げ空間２４に収納されている。スライドアセンブリ５０は、把持部５３が台座２０の両側外部に延伸され、初期位置決めされる。弾性ロープ４０は、一方の端部に設けられた拡大部４１がベースシェル６１の一方の側部の係合溝６１３内に固定され、他方の端部が下から上にかけて第１の巻回ロッド２５及び第２の巻回ロッド５１に巻掛けてから折り返し、第１の巻回ロッド２５及び第２の巻回ロッド５１の下方に回し、ベースシェル６１の他方の側部の係合溝６１３中に固定される。その後、調整ボルト７０は、ネジ部７２が設けられている端部を台座２０の当接縁２７の位置に貫設させ、ベースシェル６１の螺着孔６１２にネジ部７２を螺着させてからストッパ片７４を取り付ける。調整ボルト７０の最大のストローク位置にストッパ片７４を設けることにより、調整ボルト７０が過度に回転して飛び出すこと防ぐことができる。また、調整ボルト７０のつまみ７３は、台座２０の前方外側に露出されている。ベースシェル６１にカバー６２が取り付けられ、台座２０に上部カバー３０が取り付けられて封止されているため、弾性ロープ４０が外れるのを防いだり、内部部材を封止したりすることができる。また、繰り出し口３３が切設されているため、把持部５３がぶつかることなく延伸している。
【００１９】
本考案の一実施形態による張力を調整することが可能なトレーニングマシーン構造を実際に使用するとき、ユーザは、柔軟マット１０上に跪くことにより発生する下向きの圧力と、ユーザ自身の体重とによりトレーニングマシーン全体を固定し、スライドアセンブリ５０の２つの把持部５３を両手で握り、スライドアセンブリ５０を押したり引いたりする。ユーザは、スライドアセンブリ５０を前に押すときに発生する弾性ロープ４０の弾性力を利用して腹部及び腰部に力を加え、スライドアセンブリ５０を引き戻すときに臀部を上げることにより、腹部、腰部及び臀部のトレーニングを行い、有効に下半身をシェイプアップすることができる。また、ローラ５２、弾性ロープ４０などの各部材は、台座２０と上部カバー３０との間に封止され、外部空間と隔絶されているため、体の一部が部材に挟まれたり巻き込まれたりして怪我することを防ぐことができる上、弾性ロープ４０が引き戻される際に跳ね返って、身体に当たる危険性もない。
【００２０】
図７を参照する。図７に示すように、本考案の一実施形態による張力を調整することが可能なトレーニングマシーン構造を用い、異なるトレーニングを行ったり、異なるユーザが異なる張力で使用したりするとき、台座２０の外側に露出されたつまみ７３により、調整ボルト７０を回転させても、螺着されている調整ベース６０が位置規制ストップ縁２６及び延伸翼６１４により駆動回転せず、回転エネルギーが前方又は後方の水平移動する力に変換される。これにより、弾性ロープ４０の張力を調整することができる。調整ベース６０を前方に移動させると、調整ベース６０と第１の巻回ロッド２５との間の距離が増大し、弾性ロープ４０が引っ張られて張力が大きくなる。この状態のとき、ユーザは、スライドアセンブリ５０を大きな力で押さなければ、スムーズに移動させることができないため、好ましいトレーニング効果を得ることができる。逆に、調整ベース６０を後方に移動させると、調整ベース６０と第１の巻回ロッド２５との間の距離が小さくなり、弾性ロープ４０が緩み、張力が小さい状態になる。この状態では大きな力を加えなくともスムーズに引いて移動させることができる。この構造は、１つのトレーニングマシーンで、張力の大きさを変えて使用することができるため、異なるトレーニングマシーンを購入したり弾性ロープ４０を交換したりする必要がなく、経済的で便利である。
【００２１】
上述したことから分かるように、本考案の張力を調整することが可能なトレーニングマシーン構造は、以下（１）及び（２）の長所を有する。
（１）調整ボルト７０を回転させ、調整ベース６０を水平移動させることにより、トレーニングマシーンの張力の大きさを自由に変え、異なるユーザがトレーニングを行ったり同一ユーザが異なるレベルのトレーニングを行ったりするとき、それぞれ異なる張力を用いて操作を行うことができ、張力を調整する機能以外に、構造が簡素で、組立が容易であるという長所もある。
（２）１つのトレーニングマシーンで張力の大きさを変えることができるため、別のトレーニングマシーンを購入したり弾性ロープ４０を交換したりしなくても、異なるレベルのトレーニングを行うことができ、コストがかからず、便利である。
【００２２】
本考案の好適な実施形態を前述の通り開示したが、これらは決して本考案を限定するものではない。当該分野の技術を熟知する者であれば誰でも、本考案の主旨と領域を逸脱しない範囲内で各種の変更や修正を加えることができる。従って、本考案の保護範囲は、実用新案登録請求の範囲に記載された内容を基準とする。
は、このような変更や修正を含めて広く解釈されるべきである。
【符号の説明】
【００２３】
１０  柔軟マット
２０  台座
２１  テーブル
２２  ストッパ壁
２３  スライド溝
２４  逃げ空間
２５  第１の巻回ロッド
２６  位置規制ストップ縁
２７  当接縁
２８  支持パッド
３０  上部カバー
３１  ストッパ壁
３２  スライド溝
３３  繰り出し口
３４  当接縁
４０  弾性ロープ
４１  拡大部
５０  スライドアセンブリ
５１  第２の巻回ロッド
５２  ローラ
５３  把持部
６０  調整ベース
６１  ベースシェル
６２  カバー
７０  調整ボルト
７１  延伸部
７２  ネジ部
７３  つまみ
７４  ストッパ片
８０  ガイドフレーム
８１  ロッド
８２  パッド
８３  プラグ
８４  柔軟パッド
８５  支持ロッド
８６  弾性牽引ロープ
９０  スライダ
９１  ローラ
９２  軸ロッド
９３  把持部
６１１  透過部
６１２  螺着孔
６１３  係合溝
６１４  延伸翼
【図１】
0003165561.tif 000003
【図２】
0003165561.tif 000004
【図３】
0003165561.tif 000005
【図４】
0003165561.tif 000006
【図５】
0003165561.tif 000007
【図６】
0003165561.tif 000008
【図７】
0003165561.tif 000009
【図８】
0003165561.tif 000010